【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
電源断後もデータを保持可能な記憶手段と、該記憶手段の前記データを書換え可能な制御手段と、遊技機に供給される電圧が０Ｖよりも高い所定電圧まで低下した場合に停電信号を出力する停電監視手段と、を備えた遊技機であって、
前記停電監視手段は、前記遊技機に供給される電圧が０Ｖよりも高い所定電圧まで低下した場合に前記制御手段の入力ポートに第１状態の信号を前記停電信号として出力し、電源が供給されている場合は前記制御手段の入力ポートに第２状態の信号を出力するものであり、
前記制御手段は、
繰り返し複数の遊技制御を行う遊技制御処理手段と、
該遊技制御処理手段の特定個所で実行されると共に前記入力ポートに入力される前記信号の状態を判定する第１の判定手段と、該第１の判定手段で前記信号の状態が前記第１状態の信号であると判定した所定期間後に、再度、前記入力ポートに入力される前記信号の状態を判定する第２の判定手段と、を有する停電の発生を判定するための停電信号判定手段と、
少なくとも前記第１の判定手段及び前記第２の判定手段において、前記入力ポートに対して入力される信号が前記第１状態の信号であると判定することに基づいて前記記憶手段に所定のデータを設定する停電時処理手段と、を備え、
前記制御手段は、前記第１の判定手段において、前記入力ポートに対して入力される信号が前記第１状態の信号であると判定した場合であっても、前記第２の判定において、前記入力ポートに対して入力される信号が前記第２状態の信号であると判定することに基づいて、前記停電時処理手段を実行することなく前記遊技制御処理手段を継続するものであり、
前記遊技機は、
前記停電時処理手段の実行後に電源が供給されて電源断状態が解消された場合に、前記記憶手段に記憶されるデータに基づいて遊技の制御を再開する遊技制御再開手段を備え、
前記遊技の制御が再開される場合に、前記停電前の遊技状態に対して限定された遊技状態で前記遊技の制御が再開されることを特徴とする遊技機。
【手続補正２】
【補正対象書類名】明細書
【補正対象項目名】０００３
【補正方法】変更
【補正の内容】
【０００３】
ここで、各制御基板がそれぞれの制御を行うためには、駆動電圧の供給を必要とし、電源が突然切断されて停電が発生すると進行中の状態がクリアされてしまう。このため、停電が発生した場合には、停電前の状態に応じたデータを保持（バックアップ）する停電時処理が行われ、停電解消時には、停電時処理によってバックアップしたデータを使用して停電発生前の状態に復帰させる。
【手続補正３】
【補正対象書類名】明細書
【補正対象項目名】０００４
【補正方法】変更
【補正の内容】
【０００４】
しかしながら、瞬時の停電や、ノイズ等により信号が誤って入力された場合等の一時的な停電の発生時には、停電時処理がスムーズな遊技の進行を妨げてしまうおそれがあるという問題点があった。
【手続補正４】
【補正対象書類名】明細書
【補正対象項目名】０００５
【補正方法】変更
【補正の内容】
【０００５】
本発明は上記例示した問題点等を解決するためになされたものであり、より円滑に遊技を進行させることができる遊技機を提供することを目的としている。
【手続補正５】
【補正対象書類名】明細書
【補正対象項目名】０００６
【補正方法】変更
【補正の内容】
【０００６】
この目的を達成するために請求項１記載の遊技機は、電源断後もデータを保持可能な記憶手段と、該記憶手段の前記データを書換え可能な制御手段と、遊技機に供給される電圧が０Ｖよりも高い所定電圧まで低下した場合に停電信号を出力する停電監視手段と、を備えたものであって、前記停電監視手段は、前記遊技機に供給される電圧が０Ｖよりも高い所定電圧まで低下した場合に前記制御手段の入力ポートに第１状態の信号を前記停電信号として出力し、電源が供給されている場合は前記制御手段の入力ポートに第２状態の信号を出力するものであり、前記制御手段は、繰り返し複数の遊技制御を行う遊技制御処理手段と、該遊技制御処理手段の特定個所で実行されると共に前記入力ポートに入力される前記信号の状態を判定する第１の判定手段と、該第１の判定手段で前記信号の状態が前記第１状態の信号であると判定した所定期間後に、再度、前記入力ポートに入力される前記信号の状態を判定する第２の判定手段と、を有する停電の発生を判定するための停電信号判定手段と、少なくとも前記第１の判定手段及び前記第２の判定手段において、前記入力ポートに対して入力される信号が前記第１状態の信号であると判定することに基づいて前記記憶手段に所定のデータを設定する停電時処理手段と、を備え、前記制御手段は、前記第１の判定手段において、前記入力ポートに対して入力される信号が前記第１状態の信号であると判定した場合であっても、前記第２の判定において、前記入力ポートに対して入力される信号が前記第２状態の信号であると判定することに基づいて、前記停電時処理手段を実行することなく前記遊技制御処理手段を継続するものであり、前記遊技機は、前記停電時処理手段の実行後に電源が供給されて電源断状態が解消された場合に、前記記憶手段に記憶されるデータに基づいて遊技の制御を再開する遊技制御再開手段を備え、前記遊技の制御が再開される場合に、前記停電前の遊技状態に対して限定された遊技状態で前記遊技の制御が再開される。
【手続補正６】
【補正対象書類名】明細書
【補正対象項目名】０００７
【補正方法】変更
【補正の内容】
【０００７】
請求項１記載の遊技機によれば、電源断前に停電が解消する一時的な停電が発生した場合やノイズ等により信号が誤って入力された場合でも遊技をスムーズに再開させることができ、より円滑に遊技を進行させることができるという効果がある。
【手続補正７】
【補正対象書類名】明細書
【補正対象項目名】００８８
【補正方法】変更
【補正の内容】
【００８８】
なお、上記実施例において、請求項１記載の遊技制御処理としては、図３のＳ１０〜Ｓ１２の処理が該当する。また、請求項１記載の第１の判定手段としては、図３のＳ１０の処理が該当し、請求項１記載の第２の判定手段としては、図３のＳ１４の処理が該当し、請求項１記載の停電信号判定手段としては、図３のＳ１０及びＳ１４の処理が該当する。また、請求項１記載の停電時処理手段としては、図４に示すバックアップ処理（Ｓ１６）が該当する。また、請求項１記載の遊技制御再開手段としては、図３のＳ１７：Ｙｅｓの分岐およびＳ１９の処理が該当する。
【手続補正８】
【補正対象書類名】明細書
【補正対象項目名】００９８
【補正方法】削除
【補正の内容】
【手続補正９】
【補正対象書類名】明細書
【補正対象項目名】００９９
【補正方法】削除
【補正の内容】
【手続補正１０】
【補正対象書類名】明細書
【補正対象項目名】０１００
【補正方法】削除
【補正の内容】
【手続補正１１】
【補正対象書類名】明細書
【補正対象項目名】０１０１
【補正方法】削除
【補正の内容】
【手続補正１２】
【補正対象書類名】明細書
【補正対象項目名】０１０２
【補正方法】削除
【補正の内容】
【手続補正１３】
【補正対象書類名】明細書
【補正対象項目名】０１０３
【補正方法】削除
【補正の内容】
【手続補正１４】
【補正対象書類名】明細書
【補正対象項目名】０１０４
【補正方法】削除
【補正の内容】
【手続補正１５】
【補正対象書類名】明細書
【補正対象項目名】０１０５
【補正方法】削除
【補正の内容】
【手続補正１６】
【補正対象書類名】明細書
【補正対象項目名】０１０６
【補正方法】削除
【補正の内容】
【手続補正１７】
【補正対象書類名】明細書
【補正対象項目名】０１０７
【補正方法】削除
【補正の内容】
【手続補正１８】
【補正対象書類名】明細書
【補正対象項目名】０１０８
【補正方法】削除
【補正の内容】
【手続補正１９】
【補正対象書類名】明細書
【補正対象項目名】０１０９
【補正方法】削除
【補正の内容】
【手続補正２０】
【補正対象書類名】明細書
【補正対象項目名】０１１０
【補正方法】削除
【補正の内容】
【手続補正２１】
【補正対象書類名】明細書
【補正対象項目名】０１１１
【補正方法】削除
【補正の内容】
【手続補正２２】
【補正対象書類名】明細書
【補正対象項目名】０１１２
【補正方法】削除
【補正の内容】
【手続補正２３】
【補正対象書類名】明細書
【補正対象項目名】０１１３
【補正方法】削除
【補正の内容】
【手続補正２４】
【補正対象書類名】明細書
【補正対象項目名】０１１４
【補正方法】削除
【補正の内容】
【手続補正２５】
【補正対象書類名】明細書
【補正対象項目名】０１１５
【補正方法】削除
【補正の内容】
【手続補正２６】
【補正対象書類名】明細書
【補正対象項目名】０１１６
【補正方法】削除
【補正の内容】
【手続補正２７】
【補正対象書類名】明細書
【補正対象項目名】０１１８
【補正方法】変更
【補正の内容】
【０１１８】
１３                ＲＡＭ（記憶手段）
５０ｂ              停電監視回路（停電監視手段）
Ｃ                  主制御基板（制御手段の一部）
Ｈ                  払出制御基板（制御手段の一部）
Ｐ                  パチンコ機（遊技機）